(57)【要約】      （修正有）【課題】自動開閉の引戸であって、復元弾力を調整する位置が一つの位置に限定されないことによって、取り付け環境に応じた適切な選択をすることができる自動閉合装置を提供する。【解決手段】ケース２と、自動復元ユニット４と、縄状体７とからなる。前記ケースは、第一開口部３１と、第二開口部３２とを有する収容スペース３を形成する。前記自動復元ユニットは、前記収容スペースに設けられるとともに、渦巻き型ばね４１と、前記渦巻き型ばねが嵌め込まれて接続される回転軸４３と、前記収容スペースに設けられるとともに前記ケースに枢設されて互いに連動して回転する複数の歯車によって前記第二開口部を通して前記渦巻き型ばねの復元弾力を変化させる調整部品４２と、前記渦巻き型ばねと連動する巻き筒４４とからなる。【選択図】図４
0003183515.tif 000002
【実用新案登録請求の範囲】
【請求項１】
中空のケースと、自動復元ユニットと、縄状体とからなる引き戸の自動閉合装置であって、
前記ケースは、第一開口部と、第二開口部とを有する収容スペースを形成し、
前記自動復元ユニットは、前記収容スペースに設けられるとともに、固定端と前記固定端の反対側に設けられた作用端とを備えた渦巻き型ばねと、前記渦巻き型ばねの固定端が嵌接される回転軸と、前記収容スペースに設けられるとともに前記ケースに枢設される調整部品と、前記渦巻き型ばねの作用端と連動する巻き筒とからなり、前記調整部品は、互いに連動して回転する複数の歯車を備えるとともに、前記第二開口部を通して操作することで前記渦巻き型ばねの復元弾力を変化させ、
前記縄状体は、前記巻き筒と接続された固定端と、前記固定端の反対側に設けられるとともに前記第一開口部から前記収容スペースに突き出た自由端とからなり、前記自由端を通じて力が加えられて前記縄状体が引っ張られた時には、前記縄状体の固定端に連動した前記巻き筒が回転することによって前記渦巻き型ばねに復元力が蓄えられ、前記自由端を通じて前記該縄状体を引っ張る力が消失した時には、前記渦巻き型ばねに蓄えられた復元力に動かされた前記巻き筒に連動して、前記縄状体の前記ケースの外部に露出している部分が、前記第一開口部から前記収容スペースへと巻き戻されることを特徴とする、引き戸の自動閉合装置。
【請求項２】
前記ケースは、第一基壁と、前記第一基壁の一端から第一方向へと延びた第一側壁と、前記第一基壁と間隔を持って設けられるとともに前記第一基壁と前記第一側壁に接続された第二基壁と、前記第二基壁の一端から前記第一基壁の方向へ向かって伸びた第二側壁とからなり、前記第一開口部が前記第一側壁に形成されることを特徴とする、請求項１に記載の引き戸の自動閉合装置。
【請求項３】
前記第二開口部は前記第二側壁に形成され、また、前記調整部品の複数の歯車は、それぞれ、前記回転軸と同軸に設けられるとともに前記回転軸をその軸線を中心に回転させる回転歯車と、前記回転歯車と連動する少なくとも一つの主動歯車と、前記第二開口部を通して操作して旋回させることにより前記主動歯車を連動させることができる渦状歯車とからなることを特徴とする、請求項２に記載の引き戸の自動閉合装置。
【請求項４】
前記第二開口部は前記第二基壁に形成され、前記調整部品の複数の歯車は、前記回転軸と同軸に設けられるとともに前記回転軸をその軸線を中心に回転させる回転歯車と、前記回転歯車と連動する主動歯車とからなり、また前記調整部品は、前記第二開口部を通して操作することにより前記主動歯車を旋回させることができる調整軸を備えることを特徴とする、請求項２に記載の引き戸の自動閉合装置。
【請求項５】
前記調整部品の回転歯車は、複数の係止孔を有し、前記回転軸は、複数の凹溝を備えた軸棒と、それぞれ対応する前記凹溝の中に設けられた複数の離合部品とからなり、各前記離合部品は、いずれも、適宜前記渦巻き型ばねによって前記回転歯車に圧迫或いは係合された離合アームと、二つの相反する一端がそれぞれ対応する前記離合アームと前記軸棒に当接されるとともに対応する前記離合アームの一端を前記軸棒から常に離れさせるばね片とからなり、
前記離合アームは、前記回転歯車に係合する係合位置と分離する分離位置の間を移動し、前記係合位置の時は、各前記離合アームの他端が前記回転歯車に備えられた前記係止孔のうちの一つにそれぞれ係合されることによって、前記回転歯車に連動して前記回転軸がその軸線を中心に回転し、また前記分離位置の時は、前記離合アームと前記回転歯車が分離されることによって、前記回転歯車が空回りし、前記回転軸はその軸線を中心に回転することがないことを特徴とする、請求項３、または、請求項４に記載の引き戸の自動閉合装置。
【請求項６】
前記ケースは、さらに、前記回転軸を軸心に放射状を呈して間隔を置いて配列される複数の位置決定ストッパーを有し、前記自動復元ユニットは、さらに、前記回転軸に固定されるとともに対応する位置決定ストッパーの干渉によって前記回転軸の回転を係止する位置決定部品を有することを特徴とする、請求項５に記載の引き戸の自動閉合装置。
【請求項７】
前記引き戸の自動閉合装置はさらに、前記収容スペースに設けられるとともに前記ケースの第一開口部の近くに位置する制動ユニットを備え、前記制動ユニットは、前記縄状体が巻きつけられた滑車と、前記滑車と同時に回転するとともに単一方向に前記滑車の回転速度を落とすダンパーとからなることを特徴とする、請求項６に記載の引き戸の自動閉合装置。
【請求項８】
前記引き戸の自動閉合装置はさらに、前記収容スペースに設けられるとともに前記縄状体が巻きつけられたガイドプーリーを備えることを特徴とする、請求項７に記載の引き戸の自動閉合装置。
【考案の詳細な説明】
【技術分野】
【０００１】
本考案は、引き戸の自動閉合装置に関し、特に調整位置の設置が一つの位置に限定されない、引き戸の自動閉合装置に関する。
【背景技術】
【０００２】
図１、図２を参照する。中華民国特許第０９９２０７３２８号の「速度調整可能な簡易式自動閉合装置」には、引き戸１００（図３を参照）に取り付けられるとともに速度調整を行うことができる速度調整可能な簡易式自動閉合装置１が開示されている。簡易式自動閉合装置１は、ケースユニット１１と、自動復元ユニット１２と、縄状体１３と、制動ユニット１４とからなる。この構造によって、引き戸１００は、外的な力を受けない時、あるいは、外的な力が消失した時に、戸枠１０１に沿って移動して閉合状態に至る。
【０００３】
ケースユニット１１は、収容スペース１１３を形成するとともに扁平型長方形を呈すケース本体１１１と、等間隔に設けられるとともに放射状を呈する形状で本体１１１の内表面に形成された複数の位置決定ストッパー１１２とからなる。本体１１１には、収容スペース１１３へと通じる第一開口部１１４と、第二開口部１１５とが形成される。
【０００４】
自動復元ユニット１２は、収容スペース１１３の中に設けられる。自動復元ユニット１２は、固定端１２５と固定端１２５の反対側に設けられた作用端１２６とを備えた渦巻き型ばね１２１と、渦巻き型ばね１２１の固定端１２５を本体１１１に嵌めこんで接続するとともに枢設させる調整軸１２２と、調整軸１２２に固定された位置決定部品１２３と、渦巻き型ばね１２１の作用端１２６と連動する巻き筒１２４とからなる。位置決定部品１２３は、調整軸１２２の外に突き出すとともに、係止段１２７を備える。係止段１２７は、任意の位置決定ストッパー１１２と相互に干渉して一時的に調整軸１２２が自由に回転運動するのを阻止する。第二開口部１１５が設けられる位置は、調整軸１２２に対応しており、使用者がドライバー（図中未表示）といった道具を用いて、第二開口部１１５を通して調整軸１２２を旋回させることによって、渦巻き型ばね１２１の復元弾力を調整することができる。
【０００５】
縄状体１３は、巻き筒１２４と接続された固定端１３１と、固定端１３１と反対側に設けられるとともに第一開口部１１４から収容スペース１１３へと突き出た自由端１３２とからなる。
【０００６】
制動ユニット１４は、縄状体１３が巻きつけられた滑車１４１と、滑車１４１と同時に回転運動するとともに単一方向での滑車１４１の回転速度を落とすダンパー１４２とからなる。
【０００７】
図３は、引き戸１００が戸枠１０１に沿って引かれて開閉される従来の自動閉合裝置１の例である。引き戸１００が開かれた後に自動的に閉合状態に戻るように、自動閉合裝置１は、引き戸１００の左上に嵌めこまれて取り付けられる。使用者が引き戸１００を開けるように力を加えた時、それと一緒に縄状体１３の一部分もケースユニット１１の外に引っ張り出される。この時、渦巻き型ばね１２１に復元力が蓄えられるため、使用者が引き戸１００に対して加えていた外的な力を解放した時、渦巻き型ばね１２１の復元力によって巻き筒１２４が動かされて縄状体１３の外に露出している部分が第一開口部１１４から収容スペース１１３の中へと巻き戻ることによって、引き戸１００が自動的に閉じる。
【０００８】
従来の自動閉合裝置１は、引き戸１００に取り付けることで確かに自動的に引き戸１００を引っ張るという効果を生むことができる。しかし、自動閉合裝置１は、引き戸１００が引かれる方向に合わせて取り付けられなければならないため、ケースユニット１１の第二開口部１１５が引き戸１００の内側に隠されて取り付けられている。よって、使用者が引き戸１００の閉まる速度を調整しようとしたり、あるいは、長期使用によって弾力が緩まった渦巻き型ばね１２１の復元弾力を調整しようとした時、ドライバー等の道具を用いて調整軸１２２を旋回させることによって渦巻き型ばね１２１の復元弾力を変化させるためには、引き戸１００に第二開口部１１５に対応した穿孔１０２を開けなければならない。  
【０００９】
つまり、従来の自動閉合裝置１は、自動的に引き戸１００を引っ張るという効果は達成されるものの、渦巻き型ばね１２１の復元弾力を調整しようとした時、第二開口部１１５を通して調整軸１２２に触れることによってしか調整ができないため、自動閉合裝置１が取り付けられた引き戸１００に予め対応する穿孔１０２を開ける必要が生じる。よって、引き戸１００の全体的な外観を損ない、また調整軸１２２に触れることができるかどうかで取り付け位置が決まるため、取り付け環境に応じた適切な選択ができないという問題がある。
【００１０】
加えて、調整軸１２２が直接渦巻き型ばね１２１に接続されて渦巻き型ばね１２１を連動させるため、使用者が調整軸１２２を旋回させて渦巻き型ばね１２１の復元弾力を調整しようとした時、過度に調整軸１２２を旋回させることによって渦巻き型ばね１２１が巻き切られて効力を失うという問題が生じやすくなる。
【先行技術文献】
【特許文献】
【００１１】
【特許文献１】中華民国特許第０９９２０７３２８号明細書
【考案の概要】
【考案が解決しようとする課題】
【００１２】
上述に鑑み、本考案は、復元弾力を調整する位置が一つの位置に限定されないことによって、取り付け環境に応じた適切な選択をすることができる、引き戸の自動閉合装置を提供することを目的とする。
【００１３】
また、本考案は、渦巻き型ばねの調整時に、前記渦巻き型ばねの復元弾力を継続的に減少させることによって、前記渦巻き型ばねが巻き切られることを効果的に防ぎ、ひいては製品の耐用年数を延長することができる、引き戸の自動閉合装置を提供することを目的とする。
【課題を解決するための手段】
【００１４】
本考案の引き戸の自動閉合装置は、ケースと、自動復元ユニットと、縄状体とからなる。
【００１５】
前記ケースは、中空を呈するとともに、第一開口部と第二開口部とを備えた収容スペースを形成する。
【００１６】
前記自動復元ユニットは、前記収容スペースに設けられるとともに、渦巻き型ばねと、回転軸と、調整部品とからなる。前記渦巻き型ばねは、固定端と、前記固定端の反対側に設けられた作用端とを備える。前記回転軸には、前記渦巻き型ばねの固定端が嵌接される。前記調整部品は、前記収容スペースに設けられるとともに前記ケースに枢設される。また、前記調整部品は、複数の互いに連動して回転する歯車を備え、前記第二開口部を通して前記渦巻き型ばねの復元弾力を変化させることができる。前記巻き筒は、前記渦巻き型ばねの作用端と連動する。
【００１７】
前記縄状体は、前記巻き筒と接続された固定端と、前記固定端の反対側に設けられるとともに前記第一開口部から前記収容スペースに突き出た自由端とからなる。前記自由端を通じて力が加えられることにより前記縄状体が引っ張られた時、前記縄状体の固定端に連動した前記巻き筒が回転することによって、前記渦巻き型ばねに復元力が蓄えられる。前記自由端を通じて前記該縄状体を引っ張る力が消失した時、前記渦巻き型ばねに蓄えられた復元力に動かされた前記巻き筒に連動して、前記縄状体の前記ケースの外部に露出している部分が、前記第一開口部から前記収容スペースへと巻き戻される。
【００１８】
以下の技術を用いることにより、本考案の引き戸の自動閉合装置の目的の更なる実現と、技術的な問題の更なる解決を行うことができる。
【００１９】
前記自動閉合裝置の前記ケースは、第一基壁と、前記第一基壁の一端から第一方向へと延びた第一側壁と、前記第一基壁と間隔を持って設けられるとともに前記第一基壁と前記第一側壁に接続された第二基壁と、前記第二基壁の一端から前記第一基壁の方向へ向かって伸びた第二側壁とからなり、前記第一開口部は、前記第一側壁に形成されることが好ましい。
【００２０】
前記自動閉合裝置の前記第二開口部は、前記第二基壁に形成され、前記調整部品の複数の歯車は、前記回転軸と同軸に設けられるとともに前記回転軸をその軸線を中心に回転させる回転歯車と、前記回転歯車に連動する主動歯車とからなり、前記調整部品は、前記第二開口部を通して操作することによって前記主動歯車を旋回させることができる調整軸を備えることが好ましい。
【００２１】
前記自動閉合裝置の前記第二開口部は、前記第二側壁に形成される。また、前記調整部品の複数の歯車は、それぞれ、前記回転軸と同軸に設けられるとともに前記回転軸をその軸線を中心に回転させる回転歯車と、少なくとも前記回転歯車に連動する主動歯車と、前記第二開口部を通して操作することによって前記主動歯車を連動させ回転させる渦状歯車とに分けられることが好ましい。
【００２２】
好ましい構造は以下の通りである。前記自動閉合裝置の前記回転軸は、複数の凹溝を備えた軸棒と、それぞれ対応する前記凹溝の中に設けられた複数の離合部品からなる。前記調整部品の回転歯車は、複数の係止孔を有する。各前記離合部品は、いずれも、適宜前記渦巻き型ばねによって前記回転歯車に圧迫あるいは係合された離合アームと、二つの相反する一端がそれぞれ対応する前記離合アームと前記軸棒に当接されるとともに対応する前記離合アームの一端を前記軸棒から常に離れさせるばね片とからなる。前記離合アームは、前記回転歯車に係合する係合位置と分離する分離位置の間を移動する。前記係合位置の時は、各前記離合アームの他端がそれぞれ前記回転歯車に備えられた前記係止孔のうちの一つに係合されることによって、前記回転歯車に連動して前記回転軸がその軸線を中心に回転する。前記分離位置の時は、前記離合アームと前記回転歯車が分離されることによって、前記回転歯車が空回りし、前記回転軸がその軸線を中心に回転することはない。
【００２３】
前記自動閉合裝置は、さらに、前記収容スペースに備えられるとともに、前記縄状体が巻きつけられたガイドプーリーを備えることが好ましい。
【００２４】
本考案は、前記調整部品が設けられることによって、単一の位置に限定されずに前記第二開口部を設けられるため、取り付け環境に応じた適切な選択が可能であり、さらに引き戸の全体的外観を損なうことを避けることができるという効果がある。また、前記回転軸の前記離合部品の設計によって、前記渦巻き型ばねの復元弾力が減少した時に、過度な旋回によって巻き切られることを防ぐことができ、効果的に製品の耐用年数を延長させることができる。
【図面の簡単な説明】
【００２５】
【図１】従来の速度調整可能な簡易式自動閉合装置の分解斜視図である。
【図２】従来の自動閉合装置の斜視図である。
【図３】従来の自動閉合装置が引き戸に取り付けられた際の概略図である。
【図４】本考案の引き戸の自動閉合装置の実施例１の分解斜視図である。
【図５】本考案の実施例１の斜視図である。
【図６】本考案の実施例１において、離合アームが相対する回転歯車と係合位置にある様子の断面図である。
【図７】本考案の実施例１において、前記離合アームが相対する前記回転歯車と分離位置にある様子の断面図である。
【図８】本考案の実施例１が、引き戸に取り付けられるとともに前記引き戸が閉じた状態にある場合の概略図である。
【図９】本考案の実施例１が、引き戸に取り付けられるとともに前記引き戸が開いた状態にある場合の概略図である。
【図１０】本考案の引き戸の自動閉合装置の実施例２の分解斜視図である。
【図１１】本考案の実施例２の斜視図である。
【考案を実施するための形態】
【００２６】
（実施例１）
図４、図５を参照する。本考案の引き戸の自動閉合装置の実施例１は、扁平型長方形を呈す中空のケース２と、自動復元ユニット４と、制動ユニット５と、ガイドプーリー６と、縄状体７とからなる。
【００２７】
前記ケース２は、Ｌ字型の断面を呈した第一基壁２１と、前記第一基壁２１の一端から第一方向１０３に向かって伸びた第一側壁２２と、Ｌ字型の断面を呈するとともに前記第一基壁２１と相互に間隔を持って前記第一基壁２１と前記第一側壁２２とに接続された第二基壁２３と、前記第二基壁２３の一端から前記第一基壁２１の方向へ向かって伸びた第二側壁２４と、複数の位置決定ストッパー２５とからなる。このうち、前記第一基壁２１と、前記第一側壁２２と、前記第二基壁２３と、前記第二側壁２４とによって、収容スペース３が形成される。前記第一側壁２２には、前記収容スペース３と通じた第一開口部３１が形成される。前記第二側壁２４には、前記収容スペース３と通じた第二開口部３２が形成される。
【００２８】
前記自動復元ユニットは、前記収容スペースに設けられるとともに、渦巻き型ばね４１と、調整部品４２と、回転軸４３と、巻き筒４４と、位置決定部品４５とからなる。渦巻き型ばね４１は、固定端４１１と、固定端４１１の反対側に設けられた作用端４１２とを備える。調整部品４２は、収容スペース３に設けられるとともにケース２に枢設されて、第二開口部３２を通して操作することで渦巻き型ばね４１の復元弾力を変化させることができる。回転軸４３は、渦巻き型ばね４１の固定端４１１に嵌め込まれるとともに、第一基壁２１に枢設される。巻き筒４４は、渦巻き型ばね４１の作用端４１２と連動する。位置決定部品４５は、回転軸４３に固定されるとともに、それぞれ対応する位置決定ストッパー２５の干渉によって一時的に回転軸４３の回転を止めることができる二つの係止段４５１を備える。実施例１において、位置決定ストッパー２５は、回転軸４３を軸心に放射状を呈して間隔を置いて配列されるとともに、ケース２と一体成型される。
【００２９】
調整部品４２は、ケース２に枢設されるとともに、収容スペース３に設けられて、互いに連動して回転する複数の歯車を有する。前記歯車は、それぞれ、６個の係止孔４２４を備えた回転歯車４２１と、３個の主動歯車４２２ａ、４２２ｂ、４２２ｃと、第二開口部３２を通して操作することで旋回する渦状歯車４２３とに分けられる。このうち、主動歯車４２２ａと渦状歯車４２３は、互いに噛み合っている。また、主動歯車４２２ｂは、主動歯車４２２ａの下方に位置するとともに同軸に設けられる。また、主動歯車４２２ｃと主動歯車４２２ｂ及び回転歯車４２１は、互いに噛み合っている。回転軸４３は、二つの凹溝４３３を備えた軸棒４３１と、それぞれ対応する凹溝４３３の中に設けられた二つの離合部品４３２とからなる。それぞれの離合部品４３２は、いずれも、離合アーム４３４と、ばね片４３５とを備える。
【００３０】
図６、図７を参照する。全ての離合アーム４３４は、それぞれ対応する凹溝４３３の中に設けられる。また、離合アーム４３４は、渦巻き型ばね４１によって圧迫される接触部４３６と、接触部４３６に相対するとともに回転歯車４２１の任意の一つの係止孔４２４と分離可能に係合された接続部４３７とを有する。各ばね片４３５も同様に、それぞれ対応する凹溝４３３の中に設けられる。また、各ばね片４３５の相対する二つの一端は、それぞれ対応する離合アーム４３４の接触部４３６と軸棒４３１に当接されるとともに、対応する離合アーム４３４の接触部４３６を軸棒４３１から離れさせる偏移力を常に生させることによって、離合アーム４３４が外的な力を受けない時、あるいは、外的な力が消失した時、離合アーム４３４の接続部４３７は回転歯車４２１から離される。また、ばね片４３５は、例えばバネといった弾力性部品に取り替えることも可能である。
【００３１】
図６、図７、図８を参照する。離合アーム４３４は、回転歯車４２１に係合する係合位置と分離する分離位置の間を移動することができる。渦巻き型ばね４１が適切に弾力を回復している状態において、渦巻き型ばね４１の最内層が、回転軸４３に接近して離合アーム４３４の接触部４３６を内側へ圧迫すると同時に、対応するばね片４３５を圧迫することによって復元力が蓄えられる。また、離合アーム４３４の接続部４３７が連動されて回転歯車４２１の対応する係止孔４２４の中に係入される。この状態が離合アーム４３４の前記係合位置であり、回転歯車４２１が離合アーム４３４の係合によって回転軸４３が連動されて同時に回転する。この時、使用者が渦状歯車４２３を旋回させると、主動歯車４２２ａ、４２２ｂ、４２２ｃの噛み合わせ伝動によって、回転歯車４２１が回転し、さらには、それに連動して回転軸４３がその軸線を中心に回転する。これによって渦巻き型ばね４１の復元弾力が調整される。使用者が渦巻き型ばね４１の回復彈力を減少させようとした時、すなわち、前記自動閉合裝置が設けられた引き戸１００（図８の仮想定線を参照）の閉まる速度を緩めようとした時、使用者は同様に渦状歯車４２３を旋回させて渦巻き型ばね４１の収束状態を弱めることができる。もし使用者がこの調整作業に習熟していない、あるいは、操作上の人為的ミスがあった場合には、渦状歯車４２３が過度に旋回されてしまう可能性が非常に高い。仮に使用者が過度に旋回させてしまった場合、渦巻き型ばね４１の最内層が、まず図７に示すように回転軸４３から離され、離合アーム４３４の接触部４３６が対応するばね片４３５の復元力によって外側へと動くことによって、離合アーム４３４の接続部４３７が連動して回転軸４３の対応する凹溝４３３の中に収められる。以上の状態が図７に示した離合アーム４３４の分離位置である。この時、回転歯車４２１は空回りの状態になり、軸線に囲まれた回転軸４３が連動して回転されることはなくなるため、使用者の操作ミスによって渦巻き型ばね４１が巻き切れるという欠陥がなくなり、効果的に製品の耐用年数を延長させることができる。
【００３２】
図４、図５、図８を参照する。制動ユニット５は、収容スペース３に設けられるとともに、一部分が第一開口部３１の外に突き出ている。また、制動ユニット５は、縄状体７が巻きついた滑車５１と、滑車５１と同時に回転するとともに一方向に滑車５１の回転速度を減少させる効果を持つダンパー５２とからなる。ガイドプーリー６は、収容スペース３の滑車５１と巻き筒４４の間に設けられるとともに、縄状体７が巻きついて設けられる。
【００３３】
縄状体７は、滑車５１と、ガイドプーリー６とに巻きつけて設けられるとともに、一部分が巻き筒４４に収納される。また、縄状体７は、巻き筒４４と接続された固定端７１と、固定端７１の反対側に設けられるとともに第一開口部３１から収容スペース３へ突き出た自由端７２とからなる。自由端７２に加えられた力によって縄状体７が引っ張られた時、縄状体７の固定端７１によって巻き筒４４が連動して回転することによって、渦巻き型ばね４１に復元力が蓄えられる。自由端７２の縄状体７を引っ張る力が消失した時、渦巻き型ばね４１に蓄えられた復元力によって動かされた巻き筒４４に連動して、縄状体７の外部に露出している部分が第一開口部３１から収容スペース３へと巻き戻される。
【００３４】
図８、図９を参照する。上述した本考案の引き戸の自動閉合装置の実施例１は、戸枠１０１の軌道に沿って開閉される引き戸１００に取り付けられる。引き戸１００が閉じられた時、縄状体７の自由端７２は戸枠１０１に固定される。図９に示したように、使用者が戸枠１０１に沿って引き戸１００を開いた時、縄状体７の一部分がそれに従ってケース２の外に引っ張り出されるとともに、巻き筒４４が連動して回転することによって、渦巻き型ばね４１が復元力を蓄えた収束状態に至る。図８に示したように、使用者が引き戸１００に加えた外的な力を解除した時、渦巻き型ばね４１の復元力によって動かされた巻き筒４４に連動して、縄状体７の外部に露出している部分が第一開口部３１から収容スペース３へと巻き戻されることにより、引き戸１００が閉合状態に戻る。
【００３５】
本考案の引き戸の自動閉合装置の実施例１は、調整部品４２が設けられているため、第二開口部３２を第二側壁２４に配置させることができる。よって、渦巻き型ばね４１の復元弾力を調整しようとした時、引き戸１００側面の第二開口部３２を通して、簡単に調整部品４２を旋回させることができ、調整部品４２の旋回に連動した回転軸４３がその軸線を中心に回転することにより、渦巻き型ばね４１の回復彈力を調整するという目的が達成される。従来の自動閉合裝置１が、予め引き戸１００に穿孔１０２（図３を参照）を設けることが不可欠であることと比較して、本考案の新型引き戸の自動閉合装置の実施例１は、取り付けの際、引き戸１００に穿孔を開ける必要がなく、引き戸１００の外見的美観を完全なまま保つことができる。
【００３６】
（実施例２）
図１０、図１１を参照する。本考案の引き戸の自動閉合装置の実施例２は、上述の実施例１に類似している。実施例２の自動閉合裝置は、同様に、ケース２と、自動復元ユニット４と、制動ユニット５と、ガイドプーリー６と、縄状体７とからなる。前記構成部材は、全て実施例１と等しいため、ここでは重複説明はしない。実施例１と実施例２の違いは、ケース２の第二開口部３２がケース２の第二基壁２３に形成されていること、及び自動復元ユニット４の調整部品４２の歯車が６個の係止孔４２４を備えた回転歯車４２１と、回転歯車４２１と噛み合っている主動歯車４２２ｃとであることである。また、実施例２の調整部品４２は、主動歯車４２２ｃをケース２に枢設させるとともに第二開口部３２を通して操作することで旋回する調整軸４２５を有する。調整軸４２５の旋回によって主動歯車４２２ｃが動かされ、それに連動した回転歯車４２１が、自動復元ユニット４の回転軸４３をその軸線を中心に回転させることによって、自動復元ユニット４の渦巻き型ばね４１の復元弾力を調整することができる。
【００３７】
実施例２は、引き戸１００上に他の装飾が施されて第二開口部３２が遮られている時に、主動歯車４２２ｃの設計によって第二開口部３２を第二基壁２３に設けることができ、取り付けられる環境に応じて第二開口部３２の設けられる位置を変更することができるようになる。これにより、取り付け位置の選択肢を増やすだけでなく、調整部品４２の歯車の数を減らすことができる。
【００３８】
上述の内容をまとめると、本考案の引き戸の自動閉合装置は、調整部品４２が設けられることによって、第二開口部３２の設置位置が制限を受けず、取り付け環境に応じた選択ができるという効果を生む。また、離合部品４３２の設計によって、使用者が渦巻き型ばね４１を巻き切ることを回避することができる。これらの構造よって、本考案の目的を達成することができる。
【符号の説明】
【００３９】
１００        引き戸
１０１        戸枠
１０３        第一方向
１１          ケースユニット
１１１        本体
１１２        位置決定ストッパー
１１３        収容スペース
１１４        第一開口部
１１５        第二開口部
１２１        渦巻き型ばね
１２２        調整軸
１２３        位置決定部品
１２４        巻き筒
１２５        固定端
１２６        作用端
１２７        係止段
１３          縄状体
１３１        固定端
１３２        自由端
１４          制動ユニット
２                   ケース
２１          第一基壁
２２          第一側壁
２３          第二基壁
２４          第二側壁
２５          位置決定ストッパー
３                   収容スペース
３１          第一開口部
３２          第二開口部
４                   自動復元ユニット
４１          渦巻き型ばね
４１１        固定端
４１２        作用端
４２          調整部品
４２１        回転歯車
４２４        係止孔
４２２ａ      主動歯車
４２２ｂ      主動歯車
４２２ｃ      主動歯車
４２３        渦状歯車
４２５        調整軸
４３          回転軸
４３１        軸棒
４３２        離合部品
４３３        凹溝
４３４        離合アーム
４３５        ばね片
４３６        接触部
４３７        接続部
４４          巻き筒
４５          位置決定部品
４５１        係止段
５                   制動ユニット
５１          滑車
５２          ダンパー
６                   ガイドプーリー
７                   縄状体
７１          固定端
７２          自由端
【図１】
0003183515.tif 000003
【図２】
0003183515.tif 000004
【図３】
0003183515.tif 000005
【図４】
0003183515.tif 000006
【図５】
0003183515.tif 000007
【図６】
0003183515.tif 000008
【図７】
0003183515.tif 000009
【図８】
0003183515.tif 000010
【図９】
0003183515.tif 000011
【図１０】
0003183515.tif 000012
【図１１】
0003183515.tif 000013